(57)【要約】【課題】着用物品の前後胴周り域を連結するためのファスナである連結用シート片が着用物品の側縁から内側へ向かって延びている着用物品において、その連結用シート片が側縁から外側へ向くように反転することを容易にする。【解決手段】着用物品１の前後胴周り域６，７を連結するためのファスナである連結用シート片９が着用物品１の側縁近傍５０の内面に合掌状に重なり合い一体となって固定されている基端部５１と、基端部５１から着用物品１の幅方向内側へ延びており、止着手段１６が形成された変形自由なフラップ部５２とを有する。基端部５１と側縁近傍５０とは、基端部５１が凸面側に位置し、側縁近傍が凹面側に位置するように湾曲している。【選択図】図１
2006110136.tif 000002
【特許請求の範囲】
【請求項１】
前後方向と前記前後方向に直交する幅方向とを有し、前記前後方向には股下域と、前記股下域の前方に位置する前胴周り域と、前記股下域の後方に位置する後胴周り域とが形成されており、これら各域が前記幅方向において向かい合い前記前後方向へ延びる一対の側縁を有し、かつ前記前後胴周り域それぞれが前記前後方向において向かい合い前記幅方向へ延びる前端縁と後端縁とを有しており、前記前後胴周り域のうちの一方の胴周り域における前記側縁近傍には、もう一方の胴周り域に対して着脱可能な連結用シート片が取り付けられている使い捨ての着用物品であって、
前記連結用シート片が、前記着用物品の着用者の肌と向かい合う内面の側において前記側縁近傍に対して合掌状に重なり合い一体となって固定されている基端部と、前記基端部から前記幅方向の内側へ向かって延びていて前記内面と向かい合う面に前記もう一方の胴周り域における前記内面とは反対側の外面に対する止着手段が形成された変形自由なフラップ部とを有し、
前記基端部と前記側縁近傍とは、熱可塑性ポリマーを含み、前記ポリマーが溶融固化することにより一体となっており、前記基端部が凸面側に位置し前記側縁近傍が凹面側に位置するように湾曲していることを特徴とする着用物品。
【請求項２】
一体となった前記基端部と前記側縁近傍とは、前記幅方向における曲げ剛性が前記側縁近傍に隣接する内側部位の前記幅方向における曲げ剛性よりも高くなるように形成されている請求項１記載の着用物品。
【発明の詳細な説明】
【技術分野】
【０００１】
この発明は、使い捨てのおむつ、失禁患者用の使い捨てのおむつ、使い捨てのおむつカバー、使い捨てのトレーニングパンツ等として使用するのに好適な使い捨ての着用物品に関する。
【背景技術】
【０００２】
従来、使い捨ておむつであって前後胴周り域をシート状のファスナで分離可能に連結するものは周知である。また、かかるファスナには、おむつ幅方向の一端部が前後胴周り域いずれかにおける側縁の近傍に固定されるものがある。例えば、特許第３０９６１５２号公報（特許文献１）には、図５，６に示されるこの種の使い捨てオムツ１００に係る発明が記載されている。オムツ１００は、シート状のファスナである締結片１０６を有するもので、前後身頃１０１，１０２の胴周り対向側部１０３，１０４を互いに重ね合わせ、更に先端部の内面に係着部１０５を設けた各締結片１０６の基端部１０７を前身頃１０１の胴周り対向側部１０３にそれぞれ重ね合わせ、これら重ね合わせ部を一体に接合し、これら接合部１０８よりも内側であってこれら接合部１０８にそれぞれ近接する前身頃１０１の部位にはこれら接合部１０８に沿って前身頃１０１を後身頃１０２から切り離すための切断線１０９ａが設けてある。このオムツでは、着用者を起立させてオムツを着用させるのがよい場合、予めパンツ型になっているオムツをそのまま使用する。このとき、締結片１０６は、不要であるが、係着部１０５で前身頃１０１に接合し、オムツの着用中に妄りに動かないようにする。また、例えば、おむつの着用者を横臥させてオムツを着用させるのがよい場合、前身頃１０１または締結片１０６を引っ張って切断線１０９ａにおいて引き裂いて前身頃１０１の対向側部を後身頃１０２のそれから切り離すことで図６の開放型のオムツになし、着用させた状態で、締結片１０６を係着部１０５で前身頃１０１の適宜部位に接合する。
【特許文献１】特許第３０９６１５２号公報
【発明の開示】
【発明が解決しようとする課題】
【０００３】
特許文献１に記載のオムツ１００では、前後身頃１０１，１０２の対向側部１０３，１０４と、締結片１０６の基端部１０７とが重なり合って接合し、係着部１０５を有する締結片１０６の先端部が図５に示されるように前身頃１０１の内側に向かって延びている。かようなオムツ１００を開放型オムツと成して着用させるときには、図５の締結片１０６を反転させて、図６に示されているように係着部１０５を有する先端部が後身頃１０２の外側に向かって延びるようにしなければならない。しかし、締結片１０６は、図５に示される態様で接合しているものであるから、一度反転させてもまた元に戻り、図６のように前身頃１０１の外側に向かって延びた状態を維持できないことがある。締結片１０６がそのような挙動をとる場合に、オムツを着用させようとする母親は、一時的にせよ締結片１０６を外側に向けて抑えていなければならないから、オムツを着用させるのに手間取ることがある。
【０００４】
そこでこの発明が課題とするところは、前後身頃を連結するためのファスナである連結用シート片が着用物品の側縁から内側へ延びるように取り付けられている着用物品において、その連結用シート片を側縁から外側へ向くように反転させることが容易となるように改良を施すことにある。
【課題を解決するための手段】
【０００５】
前記課題を解決するために、この発明が対象とするのは、前後方向と前記前後方向に直交する幅方向とを有し、前記前後方には股下域と、前記股下域の前方に位置する前胴周り域と、前記股下域の後方に位置する後胴周り域とが形成されており、これら各域が前記幅方向において向かい合い前記前後方向へ延びる一対の側縁を有し、かつ前記前後胴周り域それぞれが前記前後方向において向かい合い前記幅方向へ延びる前端縁と後端縁とを有しており、前記前後胴周り域のうちの一方の胴周り域における前記側縁近傍には、もう一方の胴周り域に対して着脱可能な連結用シート片が取り付けられている使い捨ての着用物品である。
【０００６】
かかる着用物品において、この発明が特徴とするところは、次のとおりである。
【０００７】
前記連結用シート片は、前記着用物品の着用者の肌と向かい合う内面の側において前記側縁近傍に対して合掌状に重なり合い一体となって固定されている基端部と、前記基端部から前記幅方向の内側へ向かって延びていて前記内面と向かい合う面に前記もう一方の胴周り域における前記内面とは反対側の外面に対する止着手段が形成された変形自由なフラップ部とを有する。前記基端部と前記側縁近傍とは、熱可塑性ポリマーを含み、前記ポリマーが溶融固化することにより一体となっており、前記基端部が凸面側に位置し前記側縁近傍が凹面側に位置するように湾曲している。
【０００８】
請求項２に係るこの発明の実施態様において、一体となった前記基端部と前記側縁近傍とは、前記幅方向における曲げ剛性が前記側縁近傍に隣接する内側部位の前記幅方向における曲げ剛性よりも高くなるように形成されている。
【発明の効果】
【０００９】
請求項１の発明に係る着用物品は、連結用シート片の基端部が凸面側に位置し、基端部が一体となって固定されている着用物品の側縁近傍が凹面側に位置するように湾曲しているから、着用物品の幅方向内側へ向かって延びる連結用シート片のフラップ部が着用物品の幅方向外側ヘ向かって反転し易くなる。
【００１０】
請求項２の実施態様によれば、連結用シート片の基端部とそれが固定されている側縁近傍とは一体になっていて、これらに隣接する着用物品の内側部位よりも幅方向における曲げ剛性が高いから、その内側部位の変形の影響を受けることなく反転することができる。
【発明を実施するための最良の形態】
【００１１】
この発明に係る使い捨ての着用物品として使い捨ておむつを例にとり、発明の詳細を説明すると、以下のとおりである。
【００１２】
図１に部分破断斜視図で示された使い捨ておむつ１は、乳幼児用に好適なもので、身体被覆部２と体液吸収部３とを有する。身体被覆部２は、股下域８と、股下域８の前方に形成された前胴周り域６と、股下域８の後方に形成された後胴周り域７とを有し、これら各域６，７，８がおむつ着用者の着衣（図示せず）と向かい合う第１のシート、すなわち外面シート５と、外面シート５の反対側にあっておむつ着用者の肌（図示せず）と向かい合う第２のシート、すなわち内面シート４とによって形成されている。後胴周り域７の両側縁１２それぞれに沿った側縁近傍部位５０には、内外面シート４，５とは別体の第３のシートからなる連結用シート片９が合掌状に重なり、図の上下方向へ間欠的に並ぶ溶着部位１３において固定されている。連結用シート片９は、図の上下方向に長いもので、内面９ａと外面９ｂとを有し、内面９ａには、商品名マジックテープ等で知られるメカニカルファスナのループ部材１６が接着または溶着により取り付けられている。一方、前胴周り域６の両側縁１１それぞれの近傍には、外面シート５にメカニカルファスナのフック部材１７が接着または溶着により取り付けられており、止着手段となるこれらループ部材１６とフック部材１７とが重ね合わせられると、連結用シート片９を介して前胴周り域６と後胴周り域７とが取り外し可能に連結される。ただし、図１の前後胴周り域６，７は、図の右方において連結状態にあるが、図の左方では非連結状態にある。前後胴周り域６，７が連結されたおむつ１では、胴周り開口１８と、一対の脚周り開口１９とが形成される。
【００１３】
連結用シート片９は、後胴周り域６の側縁近傍部位５０に固定されている基端部５１と、基端部５１から前胴周り域６の幅を二等分する中心線Ｃ−Ｃに向かって延びている変形自由なフラップ部５２とを有する。図１の右方に位置する連結用シート片９についていえば、基端部５１は側縁近傍部位５０と一体になっておむつ１の外側に向かって突出した状態にあり、フラップ部５２は基端部５１から前胴周り域６の幅方向内側へ向かって延びている。向かう方向が互いに異なる基端部５１とフラップ部５２との間には屈曲線５５が現われている。フラップ部５２には、ループ部材１６が取り付けられ、フラップ部５２の胴周り方向における先端部分には摘持部５４が形成されている。一体となった基端部５１と側縁近傍部位５０とは、基端部５１が凸面側となり、側縁近傍部位５０が凹面側となるように湾曲している。
【００１４】
かかるおむつ１は、胴周り開口１８の周り方向へ延びる胴周り弾性部材２０と、脚周り開口１９の周り方向へ延びる脚周り弾性部材１９ａとを有しており、身体被覆部２には、これら弾性部材２０，１９ａが収縮することによって、弾性部材２０，１９ａに直交して延びるとともに弾性部材２０，１９ａに沿って凹凸を繰り返すギャザー６６，６７が形成されている。
【００１５】
図２は、前後胴周り域６，７の連結を解かれた図１のおむつ１が、ギャザー６６，６７が消失しない程度に、双頭矢印Ｘで示された幅方向と双頭矢印Ｘに直交する双頭矢印Ｙで示された前後方向とに伸展された状態を示すおむつ１の部分破断斜視図である。なお、幅方向Ｘはおむつ１の胴周り方向でもある。身体被覆部２は、幅方向Ｘにおいて向かい合い、前後方向Ｙへ延びる一対の側縁１０を有し、その側縁１０のうちで前胴周り域６を形成している側縁１１どうしの間の幅は、後胴周り域７を形成している側縁１２どうしの間の幅よりも小さく作られている。側縁１０のうちで股下域８を形成している側縁２８は身体被覆部２の内方へ向かって凸となるように湾曲している。前後胴周り域６，７はまた、前後方向Ｙにおいて向かい合い、幅方向Ｘへ延びる前端縁２６と後端縁２７とを有し、これら前後端縁２６，２７が図１におけるおむつ１の胴周り開口１８の縁を形成している。身体被覆部２における胴周り弾性部材２０は、前端縁２６と後端縁２７とに沿って取り付けられて両側縁１１と１１との間および両側縁１２と１２との間に伸長状態で延びる少なくとも１条の前胴周り域第１弾性部材２１ａおよび少なくとも１条の後胴周り域第１弾性部材２１ｂの他に、図１においてこれら第１弾性部材２１ａ，２１ｂよりも下方であって股下域８の側縁２８よりも上方に位置しており、両側縁１１と１１との間および両側縁１２と１２との間に伸長状態で延びる複数条の前胴周り域第２弾性部材２２ａおよび後胴周り域第２弾性部材２２ｂを有する。第１弾性部材２１ａ，２１ｂのそれぞれは、第２弾性部材２２ａ，２２ｂのそれぞれよりもおむつ着用者の胴周りを強く締め付けることができるもので、第２弾性部材２２ａ，２２ｂのそれぞれよりも高い伸長応力を有するものが使用される。ただし、おむつ１では第２弾性部材２２ａおよび／または２２ｂの使用を省くことが可能である。身体被覆部２ではまた、脚周り弾性部材１９ａが股下域８の側縁２８に沿って伸長状態で取り付けられている。これら胴周り弾性部材２０と脚周り弾性部材１９ａとは、内面シート４と外面シート５との間にあって、少なくともそれらの一方に、好ましくは間欠的に接合されている。
【００１６】
体液吸収部３は、図２に示されているように、透液性表面シート３２と、不透液性裏面シート３３と、これら両シート３２，３３間に介在する体液吸収性芯材３４とを有する。表裏面シート３２，３３は、芯材３４の周縁部から延出して重なり合い、接着または溶着により互いに接合されている。かかる体液吸収部３の両側縁部には、好ましくは不透液性シートからなる防漏堤３６が設けられている。防漏堤３６は、前後端縁部３７，３８と外側縁部３９とにおいて表面シート３２に接合されているが、内側縁部４１は表面シート３２に接合されていない。その内側縁部４１には、前後方向Ｙへ延びる弾性部材４２が伸長状態で取り付けられている。かように形成された防漏堤３６は、表面シート３２の上を幅方向Ｘへ流れる体液が流入可能なポケット４３を形成している。体液吸収部３は、裏面シート３３がホットメルト接着剤（図示せず）を介して身体被覆部２の内面シート４に接合されている。
【００１７】
図示例のおむつ１において、内面シート４と外面シート５とは、１０〜５０ｇ／ｍ２の坪量を有するもので、熱可塑性ポリマーからなる不織布やフィルム、これら不織布とフィルムとを積層した複合シート等で形成され、熱可塑性ポリマーを必須成分として含んでいる。体液吸収部３の表面シート３２は、１０〜３０ｇ／ｍ２の坪量を有するもので、熱可塑性ポリマーからなる不織布や開孔フィルム等からなり、裏面シート３３は、熱可塑性ポリマーからなるフィルムや不織布、これらフィルムと不織布とを積層した複合シート等からなる。芯材３４は、粉砕パルプ、粉砕パルプと高吸水性ポリマー粒子との混合物等からなり、適宜に圧縮された状態にあって、好ましくは、ティシュペーパ等の液透過性と液拡散性とに優れたシートによって被覆されている。連結用シート片９は、１５〜２００ｇ／ｍ２の坪量を有し、熱可塑性ポリマーからなる不織布、熱可塑性ポリマーからなるフィルム、これら不織布とフィルムとを積層した複合シート等で形成され、熱可塑性ポリマーを必須成分として含んでいる。
【００１８】
図３は、図１のＩＩＩ−ＩＩＩ線切断面を示す図であって、ＩＩＩ−ＩＩＩ線は図１に示された溶着部位１３を通っている。その溶着部位１３は、内面シート４と外面シート５と連結用シート片９とが加熱下に圧縮されて、これらに含まれる熱可塑性ポリマーが溶融した後に固化して一体となっている部位で、好ましい溶着部位１３はフィルム状を呈していて、内面シート４と外面シート５と連結用シート片９とを識別することが困難であるか、または不可能である。かかる溶着部位１３を含む後胴周り域７の側縁近傍部位５０は、連結用シート片９の基端部５１が凸面側に位置し、側縁近傍部位５０における外面シート５が凹面側に位置するように湾曲させることによって、図１において上下方向で隣り合う溶着部位１３と１３との間にある非接合部位６１も同じように湾曲して、幅方向Ｘの外側近くに位置する部位ほど図の下方へ、換言すると胴周りの側部から後胴周り域７の側へ大きく偏倚している（図１参照）。側縁近傍部位５０はまた、そこで重なり合う内面シート４と外面シート５と連結用シート片９とが溶着部位１３で溶融一体化していることによって、幅方向Ｘにおける曲げ剛性が、側縁近傍部位５０に隣接する内側の部位６５、すなわち内面シート４と外面シート５とが重なり合っていて側縁近傍部位５０に隣接している部位６５の曲げ剛性よりも高く、幅方向Ｘに曲がり難くなるように作られている。かようなおむつ１では、連結用テープ片９のフラップ部５２を矢印Ｐ方向へ引っ張ってループ部材１６の向きを反転させると、側縁近傍部位５０が基端部５１とともに矢印Ｑ方向へ動いて、図２におよび後記の図４に示されるように、連結用シート片９がフラップ部５２を幅方向Ｘの外側へ向けて広がった状態になることを容易にする。連結用シート片９のこのような動きは、フラップ部５２の幅方向Ｘにおける曲げ剛性を内面シート４と外面シート５とが重なり合っている内側部位６５の曲げ剛性よりも高くしておくことよって、一層容易になる。フラップ部５２の曲げ剛性を高くするためには、連結用シート片９に剛性の高いシート材料を使用することができる他に、連結用シート片９の剛性があまり高くない場合には、フラップ部５２における内面９ａのほぼ全体にループ部材１６を接合してもよい。フラップ部５２とそのフラップ部５２の剛性よりも高い剛性を有する基端部５１との間には、屈曲線５５が現われている。
【００１９】
図４は、図２のＩＶ−ＩＶ線切断面を示す図である。後胴周り域７の側縁近傍部位５０は、後胴周り域７の下側となるように折り曲げられていて、連結用シート片９が水平方向へ延びている。連結用シート片９がこのような状態にある図２のおむつ１は、それを着用させるときに連結用シート片９のフラップ部５２がみだりに閉じる方向へ動くことがないので、着用させ易いものになる。
【００２０】
図３，４の如き挙動をとる連結用シート片９はまた、図３に示されるように、側縁近傍部位５０に隣接している内側部位６５の内面シート４と外面シート５とに、側縁５０に沿って延びるギャザー６６が形成されていると、連結用シート片９はそのギャザー６６に沿って矢印Ｑ方向へ速やかに動き、容易に図４の状態になる。かように作用するギャザー６６は、図１においておむつ１の上下方向へ延びている。
【００２１】
この発明において、連結用シート片９が取り付けられている図示例の後胴周り域７を前胴周り域として使用する一方、前胴周り域６を後胴周り域として使用することもできる。また、ループ部材１６とフック部材１７との取り付け部位を図示例とは逆にすることもできる。即ち、ループ部材１６を前胴周り域６に取り付けて、フック部材１７を連結用シート片９に取り付けることができる。さらには、連結用シート片９におけるフラップ部５２の内面９ａに前胴周り域６に対する止着手段としての粘着域を設け、前胴周り域６の外面シート５には、その粘着域の着脱を可能にするターゲット域を設けてこの発明を実施することができる。
【００２２】
図示例の使い捨てのおむつ１に基づいて説明したこの発明は、大人用の使い捨てのおむつや失禁患者用の使い捨てのおむつ、体液吸収部３の使用に代えて体液吸収性の芯材を透液性の内面シート４と不透液性の外面シート５との間に介在させた構造の使い捨てのおむつ、トレーニングパンツ、体液吸収部３を持たないおむつカバーや吸尿パッド保持用の着用物品等として実施することができる。
【産業上の利用可能性】
【００２３】
この発明によれば、着用させるときに手間取ることのない使い捨ての着用物品の製造が可能になる。
【図面の簡単な説明】
【００２４】
【図１】前後胴周り域の一部分が連結されている使い捨てのおむつの部分破断斜視図。
【図２】幅方向と前後方向とに伸展された状態にある使い捨てのおむつの部分破断斜視図。
【図３】図１のＩＩＩ−ＩＩＩ線切断面を示す図。
【図４】図２のＩＶ−ＩＶ線切断面を示す図。
【図５】従来技術のおむつの一例を示す図。
【図６】切り開かれた状態にある図５のおむつ。
【符号の説明】
【００２５】
１    着用物品（おむつ）
６    前胴周り域
７    後胴周り域
８    股下域
９    連結用シート片
１０    側縁
１１    側縁
１２    側縁
１６    止着手段（ループ部材）
２６    前端縁
２７    後端縁
２８    側縁
５０    側縁近傍（側縁部位）
５１    基端部
５２    フラップ部
Ｘ    幅方向
Ｙ    前後方向
【図１】
2006110136.tif 000003
【図２】
2006110136.tif 000004
【図３】
2006110136.tif 000005
【図４】
2006110136.tif 000006
【図５】
2006110136.tif 000007
【図６】
2006110136.tif 000008